(57)【要約】【課題】無駄な電力消費を防ぐワイヤレスオーディオシステム、通信装置、電源制御方法、及びプログラムを提供する。【解決手段】送信ユニット２０は、自身の電池残量を測定し、当該電池残量が下限値に達した場合、受信ユニット３０をパワーオフする電源制御信号を受信ユニット３０へ送信し、当該電源制御信号を受信した受信ユニット３０はパワーオフされ、送信ユニット２０はパワーオフされる。【選択図】図１
2009038435.tif 000002
【特許請求の範囲】
【請求項１】
電池電源で動作する通信装置を備えた一のオーディオ装置と他のオーディオ装置との間でオーディオ信号を無線送信するワイヤレスオーディオシステムにおいて、
前記一のオーディオ装置の通信装置は、前記電池電源の電池残量が下限値に達したか否かを判断し、当該電池残量が下限値に達したと判断された場合に、前記他のオーディオ装置の通信装置に対し電源供給を停止させる電源制御信号を送信させ、且つ、自己の電池電源の供給を停止させる制御手段を備え、
前記他のオーディオ装置の通信装置は、前記一のオーディオ装置から電源制御信号を受信した場合は、自己の電源供給を停止させる制御手段を備えたこと
を特徴とするワイヤレスオーディオシステム。
【請求項２】
前記一又は他のオーディオ装置の一方はオーディオソース装置であり、他方は音声出力装置であることを特徴とする請求項１に記載のワイヤレスオーディオシステム。
【請求項３】
前記一又は他のオーディオ装置の一方は一つのオーディオソース装置であり、他方は複数の音声出力装置であることを特徴とする請求項１に記載のワイヤレスオーディオシステム。
【請求項４】
オーディオ装置に接続可能であり、電池電源で動作する通信装置において、
当該通信装置自身の電池電源の電池残量が下限値に達した場合に、他の通信装置に対して当該他の通信装置の電源の供給を停止させる電源制御信号を送信すると共に当該通信装置自身の電池電源の供給を停止させる制御手段を備えたこと
を特徴とする通信装置。
【請求項５】
オーディオ装置に接続可能であり、電池電源で動作する通信装置の電源制御方法において、
当該通信装置自身の電池電源の電池残量が下限値に達した場合に、他の通信装置に対して当該他の通信装置の電源の供給を停止させる電源制御信号を送信すると共に当該通信装置自身の電池電源の供給を停止させる工程と、
外部から電源制御信号を受信した場合には当該通信装置自身の電源供給を停止させる工程と
を備えたことを特徴とする電源制御方法。
【請求項６】
オーディオ装置に接続可能であり、電池電源で動作する通信装置のコンピュータを、
当該通信装置自身の電池電源の電池残量が下限値に達した場合に、他の通信装置に対して当該他の通信装置の電源の供給を停止させる電源制御信号を送信すると共に当該通信装置自身の電池電源の供給を停止させる手段、
外部から電源制御信号を受信した場合には当該通信装置自身の電源供給を停止させる手段、
として機能させるためのプログラム。
【発明の詳細な説明】
【技術分野】
【０００１】
本発明は、ワイヤレスオーディオシステム、通信装置、電源制御方法、及びプログラムの電源制御に関する。
【背景技術】
【０００２】
オーディオソース装置、スピーカ等の複数のオーディオ装置を備え、各オーディオ装置間で無線通信を行うワイヤレスオーディオシステムが普及している。このようなワイヤレスオーディオシステムにおいて、各オーディオ装置の通信部の電源として電池を使用するものが知られている。
【０００３】
電池を使用したワイヤレスオーディオシステムの例として、特許文献１には、電池で駆動する移動型音声出力装置の消費電力を低減させることのできる移動型音声出力装置についての技術が開示されている。
【特許文献１】特開２００５−７９６１４号公報
【発明の開示】
【発明が解決しようとする課題】
【０００４】
しかしながら、上記ワイヤレスオーディオシステムでは、一つの通信装置の電池が切れると各オーディオ装置間の通信が不能となるため、オーディオシステムとしては機能しなくなるが、他の通信装置は電池がなくなるまで動作し続け、無駄な電力を消費する。
【０００５】
本発明の課題は、無駄な電力消費を防ぐワイヤレスオーディオシステム、通信装置、電源制御方法、及びプログラムを提供することである。
【課題を解決するための手段】
【０００６】
請求項１に記載の発明は、電池電源で動作する通信装置を備えた一のオーディオ装置と他のオーディオ装置との間でオーディオ信号を無線送信するワイヤレスオーディオシステムにおいて、
前記一のオーディオ装置の通信装置は、前記電池電源の電池残量が下限値に達したか否かを判断し、当該電池残量が下限値に達したと判断された場合に、前記他のオーディオ装置の通信装置に対し電源供給を停止させる電源制御信号を送信させ、且つ、自己の電池電源の供給を停止させる制御手段を備え、
前記他のオーディオ装置の通信装置は、前記一のオーディオ装置から電源制御信号を受信した場合は、自己の電源供給を停止させる制御手段を備えたこと
を特徴とする。
【０００７】
請求項２に記載の発明は、請求項１に記載のワイヤレスオーディオシステムにおいて、
前記一又は他のオーディオ装置の一方はオーディオソース装置であり、他方は音声出力装置であることを特徴とする。
【０００８】
請求項３に記載の発明は、請求項１に記載のワイヤレスオーディオシステムにおいて、
前記一又は他のオーディオ装置の一方は一つのオーディオソース装置であり、他方は複数の音声出力装置であることを特徴とする。
【０００９】
請求項４に記載の発明は、オーディオ装置に接続可能であり、電池電源で動作する通信装置において、
当該通信装置自身の電池電源の電池残量が下限値に達した場合に、他の通信装置に対して当該他の通信装置の電源の供給を停止させる電源制御信号を送信すると共に当該通信装置自身の電池電源の供給を停止させ、外部から電源制御信号を受信した場合には当該通信装置自身の電源供給を停止させる制御手段を備えたこと
を特徴とする通信装置。
【００１０】
請求項５に記載の発明は、オーディオ装置に接続可能であり、電池電源で動作する通信装置の電源制御方法において、
当該通信装置自身の電池電源の電池残量が下限値に達した場合に、他の通信装置に対して当該他の通信装置の電源の供給を停止させる電源制御信号を送信すると共に当該通信装置自身の電池電源の供給を停止させる工程と、
外部から電源制御信号を受信した場合には当該通信装置自身の電源供給を停止させる工程と
を備えたことを特徴とする。
【００１１】
請求項６に記載の発明は、プログラムにおいて、
オーディオ装置に接続可能であり、電池電源で動作する通信装置のコンピュータを、
当該通信装置自身の電池電源の電池残量が下限値に達した場合に、他の通信装置に対して当該他の通信装置の電源の供給を停止させる電源制御信号を送信すると共に当該通信装置自身の電池電源の供給を停止させる手段、
外部から電源制御信号を受信した場合には当該通信装置自身の電源供給を停止させる手段、
として機能させることを特徴とする。
【発明の効果】
【００１２】
本発明によれば、無駄な電力消費を防ぐワイヤレスオーディオシステム、通信装置、電源制御方法、及びプログラムを提供することができる。
【発明を実施するための最良の形態】
【００１３】
以下、図面を参照して、本発明の好適な一実施形態を説明する。ただし、発明の範囲は本実施形態に限定されない。
【００１４】
［構成］
まず、構成について説明する。
図１にワイヤレスオーディオシステムの構成を示す。ワイヤレスオーディオシステム１は、オーディオ装置としてオーディオソース装置１０及びステレオシステム４０等を備え、当該オーディオ装置間で無線通信により各種信号の送受信を行い、オーディオ再生等を行う。
【００１５】
オーディオソース装置１０としては、オームオーディオ、カーオーディオ、ポータブルオーディオ等が使用される。
【００１６】
オーディオソース装置１０は、外部又は内部に接続された送信ユニット２０を備える。
送信ユニット２０は、オーディオソース装置１０に接続された通信装置であり、オーディオソース装置１０から入力されたオーディオ信号や、受信ユニット３０に対し電源供給を停止（以下、パワーオフという。）させる電源制御信号を電波として送信する。送信ユニット２０は、電源として電池を使用している。
【００１７】
受信ユニット３０は、ステレオシステム４０に接続された通信装置であり、送信ユニット２０から送信され、オーディオ信号や電源制御信号等が乗せられた電波を受信し、当該オーディオ信号をステレオシステム４０に出力する。受信ユニット３０の動作は、受信した電源制御信号に応じて制御される。また、受信ユニット３０は、電源として電池を使用している。
【００１８】
ステレオシステム４０は、受信ユニット３０から入力されたオーディオ信号を音波として出力する音声出力装置である。ステレオシステム４０は、アンプやスピーカ等を備え、外部又は内部に接続された受信ユニット３０を備えて構成される。
【００１９】
図２に通信装置である送信ユニット２０の構成の一例を示す。送信ユニット２０は、ワイヤレスオーディオプロセッサ２１、電池２２、電源制御部２３を備えて構成される。
【００２０】
ワイヤレスオーディオプロセッサ２１は、送信ユニット２０の電源である電池２２の電池残量が一定の量になった場合に、送信ユニット２０の電源制御部２３によって当該ユニットの電源の供給又は停止を切り替える制御を行う。ワイヤレスオーディオプロセッサ２１は、オーディオソース装置１０から入力されたオーディオ信号及び電源制御信号を電波として送信する処理を行う。ワイヤレスオーディオプロセッサ２１は、その他、各種制御処理を行う。
【００２１】
ワイヤレスオーディオプロセッサ２１は、オーディオインタフェース２１１、オーディオプロセッサ２１２、モデム２１３、ＲＦ（Radio Frequency）トランシーバ２１４、ＣＰＵ（Central Processing Unit）２１６、プログラムメモリ２１７、クロックシンセサイザ２１８、ＰＬＬ（Phase Locked Loop）２１９、Ｘ`ｔａｌ（水晶振動子）２２０を備えて構成される。
【００２２】
オーディオインタフェース２１１は、オーディオソース装置１０又はステレオシステム４０等との間でオーディオ信号等の入出力を行うためのインタフェースである。
【００２３】
オーディオプロセッサ２１２は、ＤＳＰ（Digital Signal Processor）等を用いて構成されている。オーディオプロセッサ２１２は、オーディオインタフェース２１１から入力されたオーディオ信号に対してディジタル信号処理を行い特定の信号形式に符号化（コード化）する処理、又はモデム２１３から入力されたオーディオ信号を複合化（デコード）する処理を行う。
【００２４】
モデム２１３は、オーディオプロセッサ２１２から入力された信号を搬送波に乗せるための信号形式に変調し、ＲＦトランシーバ２１４に出力する処理を行う。また、ＲＦトランシーバ２１４から入力された信号を復調し、オーディオプロセッサ２１２に出力する処理を行う。
【００２５】
ＲＦトランシーバ２１４は、モデム２１３から入力された信号を搬送波に乗せ、当該搬送波を送信するためにアンテナ２１５へ出力する処理を行う。ＲＦトランシーバ２１４は、アンテナ２１５が受信した搬送波から信号を復元等し、当該信号をモデム２１３へ出力する処理を行う。
【００２６】
ＣＰＵ２１６は、プログラムメモリ２１７等に記憶された制御プログラム及び電池２２の電圧値ｖとして入力された値に基づいて、電源制御部２３によって送信ユニット２０の電源をパワーオフする処理を行う。ＣＰＵ２１６は、その他、プログラムメモリ２１７に記憶されたプログラム等に基づいて、ワイヤレスオーディオプロセッサ２１の各部の制御を行う。
【００２７】
プログラムメモリ２１７は、電源制御部２３やワイヤレスオーディオプロセッサ２１の各部を制御等するための制御プログラムを記憶するメモリである。
【００２８】
クロックシンセサイザ２１８は、外部入力されたクロック信号を処理する機器である。ＰＬＬ２１９は、外部から入力されたクロックとは別に、ワイヤレスオーディオプロセッサ２１の各部で必要となるクロックを外部クロックを基準に生成する回路である。Ｘ`ｔａｌ２２０は、外部に接続されたクロックの発振器である。
【００２９】
電源制御部２３は、電池２２から入力された電源の送信ユニット２０を構成する各部への供給を制御する。
【００３０】
また、受信ユニット３０の構成は、送信ユニット２０の構成と同様である。ただし、ワイヤレスオーディオプロセッサ２１が行う処理は、送信ユニット２０と異なる。受信ユニット３０のワイヤレスオーディオプロセッサ２１は、受信ユニット３０が受信した電波からオーディオ信号及び電源制御信号を復調し、当該オーディオ信号をステレオシステム４０へ出力し、当該電源制御信号に応じて受信ユニット３０の電源の供給又は停止を切り替える制御処理等を行う。
【００３１】
［動作］
次に、動作について説明する。
図３に、送信ユニット２０の電池の残量がわずかになった場合に、送信ユニット２０及び受信ユニット３０が行う電源制御処理を時系列に示す。当該処理の制御は、送信ユニット２０及び受信ユニット３０のそれぞれに備えるＣＰＵ２１６が行う。
【００３２】
まず、送信ユニット２０は、送信ユニット２０の電池残量がわずかになり、送信ユニット２０のプログラムメモリ２１７等のメモリに予め記憶された電池残量の下限値に達した場合（ステップＳ１）、受信ユニット３０をパワーオフするための電源制御信号を受信ユニット３０へ送信する（ステップＳ２）。
【００３３】
次いで、受信ユニット３０は、ステップＳ２にて送信ユニット２０から送信された電源制御信号を受信し、当該受信をしたことを送信ユニット２０へ通知し（ステップＳ３）、受信ユニット３０をパワーオフする（ステップＳ４）。また、この際に、受信ユニット３０は、ステレオシステム４０へ電源制御信号を出力し、ステレオシステム４０もパワーオフすることとしても良い。
【００３４】
次いで、送信ユニット２０は、送信ユニット２０をパワーオフし（ステップＳ５）、この処理は終了する。また、この際に、送信ユニット２０は、オーディオソース装置１０へ電源制御信号を出力し、オーディオソース装置１０もパワーオフすることとしても良い。
【００３５】
また、以上の図３の態様においては、受信ユニット３０の電源をＡＣ（Alternating Current）アダプタ等の電池以外の電源としても良い。
【００３６】
以上のように、送信ユニット２０の電池残量が下限値に達した場合、送信ユニット２０は受信ユニット３０をパワーオフする電源制御信号を受信ユニット３０へ送信し、当該電源制御信号を受信した受信ユニット３０はパワーオフされ、更に送信ユニット２０もパワーオフされることで、送信ユニット２０がパワーオフされた場合であっても、受信ユニット３０の電力を無駄に消費することがない。
【００３７】
また、送信ユニット２０の電池残量が下限値に達した場合、オーディオソース装置１０及びステレオシステム４０もパワーオフされるようにすることで、送信ユニット２０がパワーオフされた場合であっても、ワイヤレスオーディオシステム１を構成するオーディオ装置の電力を無駄に消費することがない。
【００３８】
また、図１〜図３に示す態様の変形例として、送信ユニット２０をパワーオフするための電源制御信号を受信ユニット３０から送信ユニット２０へ送信することとしても良い。
【００３９】
図４に、当該変形例として、受信ユニット３０の電池の残量がわずかになった場合に、送信ユニット２０及び受信ユニット３０が行う電源制御処理を時系列に示す。当該処理の制御は、送信ユニット２０及び受信ユニット３０のそれぞれに備えるＣＰＵ２１６が行う。
【００４０】
まず、受信ユニット３０は、受信ユニット３０の電池残量がわずかになり、受信ユニット３０のプログラムメモリ２１７等のメモリに予め記憶された電池残量の下限値に達した場合（ステップＳ１１）、送信ユニット２０をパワーオフするための電源制御信号を送信ユニット２０へ送信する（ステップＳ１２）。
【００４１】
次いで、送信ユニット２０は、ステップＳ１２にて受信ユニット３０から送信された電源制御信号を受信し、当該受信をしたことを受信ユニット３０へ通知し（ステップＳ１３）、送信ユニット２０をパワーオフする（ステップＳ１４）。また、この際に、送信ユニット２０は、オーディオソース装置１０へ電源制御信号を出力し、オーディオソース装置１０もパワーオフすることとしても良い。
【００４２】
次いで、受信ユニット３０は、受信ユニット３０をパワーオフし（ステップＳ１５）、この処理は終了する。また、この際に、受信ユニット３０は、ステレオシステム４０へ電源制御信号を出力し、ステレオシステム４０もパワーオフすることとしても良い。
【００４３】
また、以上の図４の態様では、受信ユニット３０の電源は電池であるが、送信ユニット２０の電源はＡＣアダプタ等の電池以外の電源であっても良い。
【００４４】
以上のように、受信ユニット３０の電池残量が下限値に達した場合、受信ユニット３０は送信ユニット２０をパワーオフする電源制御信号を送信ユニット２０へ送信し、当該電源制御信号を受信した送信ユニット２０はパワーオフされ、更に受信ユニット３０もパワーオフされることで、受信ユニット３０がパワーオフされた場合であっても、送信ユニット２０の電力を無駄に消費することがない。
【００４５】
また、受信ユニット３０の電池残量が下限値に達した場合、オーディオソース装置１０及びステレオシステム４０もパワーオフされるようにすることで、受信ユニット３０がパワーオフされた場合であっても、ワイヤレスオーディオシステム１を構成するオーディオ装置の電力を無駄に消費することがない。
【００４６】
また、図１〜図４に示す態様の変形例として、送信ユニット２０及び受信ユニット３０の各々が他方と電源制御信号を送受信することとしても良い。
【００４７】
図５及び図６に、当該変形例として、送信ユニット２０及び受信ユニット３０が共に電源制御信号を送受信する場合の電源制御のフローを示す。処理の制御は、ＣＰＵ２１６が行う。
【００４８】
図５に、送信ユニット２０のＣＰＵ２１６による電源制御のフローを示す。
まず、送信ユニット２０の電池残量が下限値になった場合（ステップＳ３１；Ｙｅｓ）、受信ユニット３０をパワーオフする電源制御信号が受信ユニット３０へ送信される（ステップＳ３２）。
【００４９】
ここで、送信ユニット２０の電池残量が下限値であるか否かの判断の方法は、まず、送信ユニット２０の電池端子から得られた電圧値がＡ／Ｄ変換された後にＣＰＵ２１６に入力されることによってＣＰＵ２１６によって電池残量が測定され、当該測定値が予め下限値としてプログラムメモリ２１７等のメモリに記憶された値（例えば、３．１Ｖなど）に達した場合、ＣＰＵ２１６によって電池残量が下限値であると判断される。ただし、この判断方法に限定されず、他の周知の方法であってもよい。
【００５０】
次いで、送信ユニット２０がパワーオフされ（ステップＳ３３）、この処理は終了する。
また、送信ユニット２０の電池残量が下限値ではない場合（ステップＳ３１；Ｎｏ）、ステップＳ３４へ進む。
【００５１】
次いで、受信ユニット３０から送信ユニット２０をパワーオフする電源制御信号を受信した場合（ステップＳ３４；Ｙｅｓ）、ステップＳ３３へ進む。
【００５２】
また、受信ユニット３０から送信ユニット２０をパワーオフする電源制御信号を受信しない場合（ステップＳ３４；Ｎｏ）、ステップＳ３１へ進む。
【００５３】
次に、図６に、受信ユニット３０のＣＰＵ２１６による電源制御のフローを示す。
まず、受信ユニット３０の電池残量が下限値になった場合（ステップＳ４１；Ｙｅｓ）、送信ユニット２０をパワーオフする電源制御信号が送信ユニット２０へ送信される（ステップＳ４２）。
【００５４】
ここで、受信ユニット３０の電池残量が下限値であるか否かの判断は、図５のステップＳ３１と同様の方法、又は他の周知の方法によって受信ユニット３０のＣＰＵ２１６によって判断される。
【００５５】
次いで、受信ユニット２０がパワーオフされ（ステップＳ４３）、この処理は終了する。
また、受信ユニット３０の電池残量が下限値ではない場合（ステップＳ４１；Ｎｏ）、ステップＳ４４へ進む。
【００５６】
次いで、送信ユニット２０から受信ユニット３０をパワーオフする電源制御信号を受信した場合（ステップＳ４４；Ｙｅｓ）、ステップＳ４３へ進む。
【００５７】
また、送信ユニット２０から受信ユニット３０をパワーオフする電源制御信号を受信しない場合（ステップＳ４４；Ｎｏ）、ステップＳ４１へ進む。
【００５８】
以上のように、送信ユニット２０及び受信ユニット３０が共にパワーオフのための電源制御信号を送受信することで、送信ユニット２０又は受信ユニット３０のどちらの電池が切れた場合であっても、他のユニットの電力を無駄に消費することがない。
【００５９】
［他の実施例］
次に、図７に、他の実施例としてワイヤレスオーディオシステムが複数の受信ユニットを備える場合の例を示す。
【００６０】
ワイヤレスオーディオシステム２は、オーディオソース装置１０、送信ユニット２０、Ｒｃｈ（右チャンネル）音声出力装置８０、及びＬｃｈ（左チャンネル）音声出力装置９０を備えて構成される２ｃｈオーディオシステムである。
【００６１】
Ｒｃｈ音声出力装置８０は、受信ユニット８１、アンプ８２、スピーカ８３、アンテナ８４、及び赤外線通信部８５、電池８６等を備える音声出力装置である。また、受信ユニット８１は、ワイヤレスオーディオプロセッサ８１１等を備えて構成される。電池８６は、Ｒｃｈ音声出力装置８０全体の電源である。
【００６２】
Ｌｃｈ音声出力装置９０は、受信ユニット９１、アンプ９２、スピーカ９３、アンテナ９４、及び赤外線通信部９５、電池９６等を備える音声出力装置である。また、受信ユニット９１は、ワイヤレスオーディオプロセッサ９１１等を備えて構成される。電池９６は、Ｌｃｈ音声出力装置９０全体の電源である。
【００６３】
このようなワイヤレスオーディオシステム２において、Ｒｃｈ音声出力装置８０の電池８６の電池残量が下限値に達した場合、赤外線通信部８５を介してＬｃｈ音声出力装置９０へＬｃｈ音声出力装置９０をパワーオフするための電源制御信号が送信され、アンテナ８４を介して送信ユニット２０へ送信ユニット２０をパワーオフするための電源制御信号が送信され、Ｒｃｈ音声出力装置８０自身の電源がパワーオフされる処理が行われる。当該処理の制御は、ワイヤレスオーディオプロセッサ８１１によって行われる。また、Ｌｃｈ音声出力装置９０への電源制御信号の送信は、アンテナ８４を介して行われても良い。
【００６４】
同様に、Ｌｃｈ音声出力装置９０の電池９６の電池残量が下限値に達した場合、赤外線通信部９５を介してＲｃｈ音声出力装置８０へＲｃｈ音声出力装置８０をパワーオフするための電源制御信号が送信され、アンテナ９４を介して送信ユニット２０へ送信ユニット２０をパワーオフするための電源制御信号が送信され、Ｌｃｈ音声出力装置９０自身の電源がパワーオフされる処理が行われる。当該処理の制御は、ワイヤレスオーディオプロセッサ９１１によって行われる。
【００６５】
また、ワイヤレスオーディオシステム２は、２ｃｈに限定されず、変形例として、更に複数のスピーカを備えることとしても良い。例えば、５．１ｃｈのオーディオシステムにおいて、オーディオソース装置に備える通信装置及び複数のスピーカに備える通信装置間において、電源制御信号の送受信が行われることとしても良い。
【００６６】
以上のような他の実施形態によれば、複数の受信ユニット（音声出力装置）を備えるワイヤレスオーディオシステムにおいて、１つの受信ユニットの電池残量が下限値に達した場合、当該受信ユニットは、他の受信ユニットをパワーオフにする電源制御信号を送信し、自身の電源がパワーオフされ、当該信号を受信した他の受信ユニットもパワーオフされることで、１つの受信ユニットがパワーオフされた場合に他の受信ユニットを有するスピーカのみが音声出力を続けることを防止することができる。その結果、ワイヤレスオーディオシステムのスピーカのうち一部のみから音声出力されることで生じるユーザの不快感が解消され、またワイヤレスオーディオシステムを構成する他のユニットの電力の無駄な消費を防止することができる。
【００６７】
［効果］
以上のように、本実施の形態によれば、送信ユニット２０は電池２２の電池残量を測定し、当該電池残量が下限値に達した場合、送信ユニット２０は受信ユニット３０をパワーオフする電源制御信号を受信ユニット３０へ送信し、当該電源制御信号を受信した受信ユニット３０はパワーオフされ、更に送信ユニット２０もパワーオフされることで、送信ユニット２０がパワーオフされた場合であっても、受信ユニット３０の電力を無駄に消費することがない。
【００６８】
また、送信ユニット２０の電池残量が下限値に達した場合、オーディオソース装置１０及びステレオシステム４０もパワーオフされるようにすることで、送信ユニット２０がパワーオフされた場合であっても、ワイヤレスオーディオシステム１を構成するオーディオ装置の電力を無駄に消費することがない。
【００６９】
また、受信ユニット３０の電池残量が下限値に達した場合、受信ユニット３０は送信ユニット２０をパワーオフする電源制御信号を送信ユニット２０へ送信し、当該電源制御信号を受信した送信ユニット２０はパワーオフされ、更に受信ユニット３０もパワーオフされることで、受信ユニット３０がパワーオフされた場合であっても、送信ユニット２０の電力を無駄に消費することがない。
【００７０】
また、受信ユニット３０の電池残量が下限値に達した場合、オーディオソース装置１０及びステレオシステム４０もパワーオフされるようにすることで、受信ユニット３０がパワーオフされた場合であっても、ワイヤレスオーディオシステム１を構成するオーディオ装置の電力を無駄に消費することがない。
【００７１】
また、送信ユニット２０及び受信ユニット３０が共にパワーオフのための電源制御信号を送受信することで、送信ユニット２０又は受信ユニット３０のどちらかがパワーオフされた場合であっても、他のユニットの電力を無駄に消費することがない。
【００７２】
また、複数の音声出力装置（受信ユニット）を備えるワイヤレスオーディオシステムにおいて、１つの受信ユニットの電池残量が下限値に達した場合、当該受信ユニットは、他の受信ユニットをパワーオフにする電源制御信号を送信し、自身の電源がパワーオフされ、当該信号を受信した他の受信ユニットもパワーオフされることで、１つの受信ユニットがパワーオフされた場合に他の受信ユニットを有するスピーカのみが音声出力を続けることを防止することができる。その結果、ワイヤレスオーディオシステムのスピーカのうち一部からのみ音声出力されることで生じるユーザの不快感が解消され、またワイヤレスオーディオシステムを構成する他のユニットの電力の無駄な消費を防止することができる。
【図面の簡単な説明】
【００７３】
【図１】ワイヤレスオーディオシステムの構成の概要を示す図である。
【図２】送信ユニット又は受信ユニットの構成の概要を示すブロック図である。
【図３】送信ユニットと受信ユニット間で行われる処理を時系列に示した図である。
【図４】送信ユニットと受信ユニット間で行われる処理を時系列に示した図である。
【図５】送信ユニットのＣＰＵによる電源制御を示したフローチャートである。
【図６】受信ユニットのＣＰＵによる電源制御を示したフローチャートである。
【図７】ワイヤレスオーディオシステムの構成の概要を示す図である。
【符号の説明】
【００７４】
１、２  ワイヤレスオーディオシステム
１０  オーディオソース装置
２０  送信ユニット
２１、８１１、９１１  ワイヤレスオーディオプロセッサ
２２、８６、９６  電池
２３  電源制御部
３０、８１、９１  受信ユニット
４０  ステレオシステム
８０  Ｒｃｈ音声出力装置
８２、９２  アンプ
８３、９３  スピーカ
８４、９４、２１５  アンテナ
８５、９５  赤外線通信部
９０  Ｌｃｈ音声出力装置
２１１  オーディオインタフェース
２１２  オーディオプロセッサ
２１３  モデム
２１４  ＲＦトランシーバ
２１６  ＣＰＵ
２１７  プログラムメモリ
２１８  クロックシンセサイザ
２１９  ＰＬＬ
２２０  Ｘ`ｔａｌ
【図１】
2009038435.tif 000003
【図２】
2009038435.tif 000004
【図３】
2009038435.tif 000005
【図４】
2009038435.tif 000006
【図５】
2009038435.tif 000007
【図６】
2009038435.tif 000008
【図７】
2009038435.tif 000009